(57)【要約】【課題】負荷の変動によらず、常に高効率な電力を供給することができる燃料電池電源装置を提供する。【解決手段】監視対象の測定値が取得され（ステップ４０３）、負荷の平均消費電力が算出される（ステップ４０４）。続いて、負荷の平均消費電力が所定の通常範囲内か否かが判断され（ステップ４０５）、通常範囲内であると判断された場合には、負荷の平均消費電力と燃料電池内部補機が通常時に消費する消費電力との合計値が算出される。続いて、この合計消費電力が、所定の発電効率Ｔ１となる時の発電出力Ｐ１より大きいか否かが判断され（ステップ４０７）、Ｐ１より大きい場合には、ステップ４０２に戻り、上述した処理が繰り返される。一方、合計消費電力が、発電出力Ｐ１より小さいと判断された場合には、出力設定値を１００Ｗ増やして新たな出力設定値として（ステップ４０８）、ステップ４０２に戻り、上述した処理が繰り返される。【選択図】図４
2010146922.tif 000002
【特許請求の範囲】
【請求項１】
燃料ガスと酸化剤ガスの電気化学反応により直流電力を発生する燃料電池と、
前記直流電力の電圧を調節する直流−直流変換器と、
前記直流電力を蓄える直流蓄電装置と、
前記直流電力を直流又は交流電力へ変換して負荷に供給する電力変換装置と、
燃料電池の発電に必要な補機へ電力を供給する補機電力供給装置と、
それらを接続する直流母線とを備えた燃料電池電源装置において、
前記直流蓄電装置の充放電電流を計測する充放電電流計測器と、前記直流母線の電圧を計測する電圧計測器が設置されると共に、
前記直流−直流変換器によって出力される直流電力量を、その出力設定値を変更することによって制御する制御装置が設けられ、
前記負荷の平均消費電力量が所定の通常範囲内の場合には、前記直流−直流変換器が、前記負荷と補機が消費する合計消費電力より大きく、且つ、所定の発電効率以上となる電力を出力するように、前記制御装置によって前記出力設定値が変更されるように構成されていることを特徴とする燃料電池電源装置。
【請求項２】
前記負荷の平均消費電力量が、前記所定の通常範囲の下限値以下の場合において、
前記直流母線の電圧または前記直流蓄電装置の充電電流の少なくとも一方が、それぞれの上限値を逸脱する場合に、
前記直流−直流変換器が、前記直流母線の電圧と前記直流蓄電装置の充電電流の両方がそれぞれの上限値以下となり、且つ、所定の発電効率以上となる電力を出力するように、前記制御装置によって前記出力設定値が変更されるように構成されていることを特徴とする請求項１に記載の燃料電池電源装置。
【請求項３】
前記負荷の平均消費電力量が、前記所定の通常範囲の上限値以上の場合において、
前記直流母線の電圧がその下限値を逸脱するか、または前記直流蓄電装置の放電電流がその上限値を逸脱する場合に、
前記直流母線の電圧がその下限値以上となると共に、前記直流蓄電装置の放電電流がその上限値以下となり、且つ、所定の発電効率以上となる電力を出力するように、前記制御装置によって前記出力設定値が変更されるように構成されていることを特徴とする請求項１又は請求項２に記載の燃料電池電源装置。
【請求項４】
燃料ガスと酸化剤ガスの電気化学反応により直流電力を発生する燃料電池と、
前記直流電力の電圧を調節する直流−直流変換器と、
前記直流電力を蓄える直流蓄電装置と、
前記直流電力を直流又は交流電力へ変換して負荷に供給する電力変換装置と、
燃料電池の発電に必要な補機へ電力を供給する補機電力供給装置と、
それらを接続する直流母線とを備えた燃料電池電源装置において、
前記直流蓄電装置の充放電電力を計測する充放電電力計測器と、前記直流母線の電圧を計測する電圧計測器が設置されると共に、
前記直流−直流変換器によって出力される直流電力量を、その出力設定値を変更することによって制御する制御装置が設けられ、
前記負荷の平均消費電力量が所定の通常範囲内の場合には、前記直流−直流変換器が、前記負荷と補機が消費する合計消費電力より大きく、且つ、所定の発電効率以上となる電力を出力するように、前記制御装置によって前記出力設定値が変更されるように構成されていることを特徴とする燃料電池電源装置。
【請求項５】
前記負荷の平均消費電力量が、前記所定の通常範囲の下限値以下の場合において、
前記直流蓄電装置の充電電力の積算値がその上限値を逸脱する場合に、
前記制御装置によって、前記出力設定値が、前記充電電力の積算値から算出される余剰電力分を差し引いた新たな出力設定値へ変更されるように構成されていることを特徴とする請求項４に記載の燃料電池電源装置。
【請求項６】
前記負荷の平均消費電力量が、前記所定の通常範囲の上限値以上の場合において、
前記直流蓄電装置の放電電力の積算値がその上限値を逸脱する場合に、
前記制御装置によって、前記出力設定値が、前記放電電力の積算値から算出される不足電力分を加算した新たな出力設定値へ変更されるように構成されていることを特徴とする請求項４又は請求項５に記載の燃料電池電源装置。
【請求項７】
前記発電効率が所定の最低発電効率を下回る場合には、発電を停止するように構成されていることを特徴とする請求項１乃至請求項６のいずれか１項に記載の燃料電池電源装置。
【請求項８】
前記直流蓄電装置の蓄電電力量がその下限値を下回った場合に、発電を再開するように構成されていることを特徴とする請求項７に記載の燃料電池電源装置。
【発明の詳細な説明】
【技術分野】
【０００１】
本発明は、燃料電池及び直流蓄電装置を備えた燃料電池電源装置に係り、特に、燃料電池からの直流電力の電圧を調節する直流−直流交換器を有する燃料電池電源装置に関するものである。
【背景技術】
【０００２】
近年、省エネルギー、ＣＯ2排出量削減等への関心の高まりから、燃料電池発電装置が開発され、定置分散電源への適用が進んできている。燃料電池発電システムは、発電出力を急激に変化させることが困難なため、商用電力系統と接続されて運転されることが一般的である。また、商用電力系統と独立して運転する場合は、燃料電池と直流蓄電装置とを組合せて、両者を併用して負荷に電力を供給する燃料電池電源装置が提案されている（例えば、特許文献１）。
【特許文献１】特開２００１−２３１１７６号公報
【発明の開示】
【発明が解決しようとする課題】
【０００３】
しかしながら、従来の燃料電池電源装置には、以下に述べるような問題点があった。すなわち、燃料電池の発電効率は発電出力が低いほど効率が悪く、発電出力を高くするにしたがって効率が良くなるという特性があるが、従来の燃料電池電源装置においては、負荷の消費電力に合わせて燃料電池の発電量を決めていたため、負荷の消費電力が減少し、燃料電池の発電出力が減少した場合には、発電効率は低下していた。
【０００４】
そのため、負荷の変動にかかわらず、燃料電池が常に高効率な発電運転を行え、負荷の消費電力が低下または増加した場合にも、電源装置の異常を引き起こすことなく、最高の効率で発電運転を行うことができる、信頼性の高い燃料電池電源装置の開発が切望されていた。
【０００５】
本発明は、上述したような従来技術の問題点を解消するためになされたものであり、その目的は、負荷の変動にかかわらず、常に高効率な電力を供給することができる、信頼性の高い燃料電池電源装置を提供することにある。
【課題を解決するための手段】
【０００６】
上記の目的を達成するため、本発明の燃料電池電源装置は、燃料ガスと酸化剤ガスの電気化学反応により直流電力を発生する燃料電池と、前記直流電力の電圧を調節する直流−直流変換器と、前記直流電力を蓄える直流蓄電装置と、前記直流電力を直流又は交流電力へ変換して負荷に供給する電力変換装置と、燃料電池の発電に必要な補機へ電力を供給する補機電力供給装置と、それらを接続する直流母線とを備えた燃料電池電源装置において、前記直流蓄電装置の充放電電流を計測する充放電電流計測器と、前記直流母線の電圧を計測する電圧計測器が設置されると共に、前記直流−直流変換器によって出力される直流電力量を、その出力設定値を変更することによって制御する制御装置が設けられ、前記負荷の平均消費電力量が所定の通常範囲内の場合には、前記直流−直流変換器が、前記負荷と補機が消費する合計消費電力より大きく、且つ、所定の発電効率以上となる電力を出力するように、前記制御装置によって前記出力設定値が変更されるように構成されていることを特徴とするものである。
【０００７】
上記のような構成を有する本発明によれば、負荷の平均消費電力量が所定の通常範囲内の場合、言い換えれば、通常運転時において、常に、負荷と補機が消費する合計消費電力より大きく、且つ、所定の発電効率以上となる電力を出力するように制御することができるので、常に効率の良い運転が可能となる。
【０００８】
また、本発明は、請求項１に記載の燃料電池電源装置において、前記負荷の平均消費電力量が、前記所定の通常範囲の下限値以下の場合において、前記直流母線の電圧または前記直流蓄電装置の充電電流の少なくとも一方が、それぞれの上限値を逸脱する場合に、前記直流−直流変換器が、前記直流母線の電圧と前記直流蓄電装置の充電電流の両方がそれぞれの上限値以下となり、且つ、所定の発電効率以上となる電力を出力するように、前記制御装置によって前記出力設定値が変更されるように構成されていることを特徴とするものである。
【０００９】
上記のような構成を有する本発明によれば、負荷の平均消費電力量が所定の通常範囲の下限値より減少した場合であっても、直流蓄電装置の充電電流又は直流母線の電圧の上限値となる発電出力で発電を継続することができるので、燃料電池電源装置の異常を引き起こすことなく、最高効率の発電運転を可能とすることができる。
【００１０】
また、本発明は、請求項１又は請求項２に記載の燃料電池電源装置において、前記負荷の平均消費電力量が、前記所定の通常範囲の上限値以上の場合において、前記直流母線の電圧がその下限値を逸脱するか、または前記直流蓄電装置の放電電流がその上限値を逸脱する場合に、前記直流母線の電圧がその下限値以上となると共に、前記直流蓄電装置の放電電流がその上限値以下となり、且つ、所定の発電効率以上となる電力を出力するように、前記制御装置によって前記出力設定値が変更されるように構成されていることを特徴とするものである。
【００１１】
上記のような構成を有する本発明によれば、負荷の平均消費電力量が所定の通常範囲の上限値より増加した場合であっても、燃料電池電源装置の異常を引き起こすことなく、高効率な発電運転が可能となる。
【発明の効果】
【００１２】
本発明によれば、負荷の変動にかかわらず、常に高効率な電力を供給することができる、信頼性の高い燃料電池電源装置を提供することができる。より具体的には、通常時は一定電力で発電を行う燃料電池電源装置において、直流−直流変換器へ出力される出力設定値を適宜変更することにより、負荷の変動によらず、燃料電池は常に高効率な発電運転が可能となる。さらに、負荷の平均消費電力が低下または増加した場合にも、燃料電池電源装置の異常を引き起こすことなく、最高の効率で発電運転が可能となる、信頼性の高い燃料電池電源装置を提供することができる。
【発明を実施するための最良の形態】
【００１３】
以下、本発明に係る燃料電池電源装置の実施の形態について、図面を参照して説明する。
【００１４】
（１）第１実施形態
（１−１）構成
図１は、本発明に係る燃料電池電源装置の第１実施形態の構成を示すブロック図である。すなわち、本実施形態の燃料電池電源装置においては、燃料電池１に該燃料電池１の直流電力の電圧を調節する直流−直流変換器６が接続され、その出力ラインである直流母線５には、直流電力を蓄える直流蓄電装置２、直流電力を直流又は交流電力へ変換して負荷に供給する電力変換装置３、及び、燃料電池の発電に必要な補機へ電力を供給する補機電力供給装置１２が接続されている。
【００１５】
また、前記直流−直流変換器６の出力側には、直流母線５の電圧を計測する電圧計測器１０が接続されると共に、前記直流蓄電装置２の入出力部分には、その充放電電流を計測する充放電電流計測器７が接続されている。また、前記電力変換装置３の出力側には負荷４が接続されると共に、電流計測器９または電力計測器１１の少なくとも１つが接続されている。また、前記補機電力供給装置１２の出力側には補機１３が接続されている。
【００１６】
また、本実施形態の燃料電池電源装置には、図２に示すような構成を有する制御装置１００が設置され、直流−直流変換器６によって出力される直流電力量を適切に制御すべく、直流出力設定値（以下、出力設定値という）を適宜変更することができるように構成されている。
【００１７】
すなわち、制御装置１００には、図２に示すように、監視対象となる各計測器からの測定値を取得するデータ取得部１０１、演算部１０２、判定部１０３、出力設定値を適切な値に設定変更する設定部１０４、出力設定値を前記直流−直流変換器６に出力する出力部１０５及び記憶部１０６が設けられている。なお、本実施形態においては、前記充放電電流計測器７、電圧計測器１０、電流計測器９、電力計測器１１が監視対象とされ、これらの測定値が前記データ取得部１０１に入力されるように構成されている。
【００１８】
（１−２）作用
上記のような構成を有する本実施形態の燃料電池電源装置は、以下のように作用する。すなわち、燃料電池１の直流電力の電圧は、後述するような制御装置１００による処理によって設定された出力設定値に基づいて、直流−直流変換器６により調節されて、直流母線５へ出力される。
【００１９】
また、電力変換装置３は、直流母線５の直流を、負荷が必要とする電圧の交流または直流へ変換して負荷４へ供給する。このとき、負荷４が変動して、直流−直流変換器６の一定出力電力を上回った場合には、直流蓄電装置２から不足分の電力が供給される。一方、負荷４が直流−直流変換器６の一定出力電力を下回った場合には、直流蓄電装置２に余剰電力が蓄えられる。また、補機電力供給装置１２は、直流母線５の電圧を、補機が必要とする電圧の直流電力へ変換して、補機１３が必要とする電力を供給する。
【００２０】
続いて、制御装置１００による出力設定値の設定変更処理について、通常時（負荷４の平均消費電力が予め設定された通常範囲内にある場合）、負荷４の平均消費電力が通常範囲より減少した場合、負荷４の平均消費電力が通常範囲より増加した場合に分けて説明する。
【００２１】
（１−２−１）通常時の動作
初めに、通常時における動作について説明する。
図４に示すように、燃料電池１は、制御装置１００の設定部１０４から直流−直流変換器６へ出力される出力設定値に基づいて直流電力を出力する（ステップ４０１）。なお、燃料電池１の起動時における出力設定値は、初期電力設定値として、高効率な発電が可能となるように燃料電池電源装置ごとに予め設定された値、または、記憶部１０６に蓄積されている過去の負荷電力から、余剰または不足電力が発生しないと判断される発電出力により決定される値である。
【００２２】
この初期電力設定値に基づいて燃料電池による発電が継続されている状態において、データ取得部１０１によって、監視対象とされている充放電電流計測器７、電圧計測器１０、電流計測器９、電力計測器１１の測定値が取得される（ステップ４０３）。続いて、演算部１０２において、電流計測器９または電力計測器１１の計測値から負荷４の平均消費電力が算出される（ステップ４０４）。
【００２３】
続いて、判定部１０３において、負荷４の平均消費電力が所定の通常範囲内か否かが判断され（ステップ４０５）、通常範囲内であると判断された場合には、ステップ４０６に進み、演算部１０２において、負荷４の平均消費電力と燃料電池内部補機１３が通常時に消費する消費電力との合計値が算出される。なお、燃料電池内部補機１３の消費電力は、発電出力によりほぼ一定の値となることから、固定の数値、あるいは発電出力に応じて決まる関数とすることができるため、電流計測器あるいは電力計測器による計測値を使用する必要はない。
【００２４】
続いて、判定部１０３において、前記合計消費電力が、図３に示す所定の発電効率Ｔ１となる時の発電出力Ｐ１より大きいか否かが判断され（ステップ４０７）、Ｐ１より大きい場合には、効率の良い運転がされていることを意味するので、ステップ４０２に戻り、上述した処理が繰り返される。
【００２５】
一方、前記合計消費電力が、所定の発電効率Ｔ１となる時の発電出力Ｐ１より小さいと判断された場合には、設定部１０４により、出力設定値を例えば１００Ｗ増やして新たな出力設定値として（ステップ４０８）、ステップ４０２に戻り、上述した処理が繰り返される。
【００２６】
ここで、燃料電池の発電効率と発電出力の関係について説明する。すなわち、図３に示すように、一般的に、燃料電池の発電効率は発電出力が低い程低くなり、発電出力を高くしていくにつれて高くなることから、出力設定値は、発電効率Ｔ１となる発電出力Ｐ１以上であることが好ましい。この観点から、本実施形態においては、前記合計消費電力が、発電効率Ｔ１となる時の発電出力Ｐ１より大きいか否かを判断し、常に、所定の発電効率Ｔ１以上を維持することができるように構成されている。
【００２７】
（１−２−２）負荷４の平均消費電力が減少した場合の動作
次に、負荷４の平均消費電力が通常範囲の下限値より減少した場合の動作について説明する。すなわち、図４のステップ４０５において、負荷４の平均消費電力が通常範囲内ではないと判断された場合には、図５のステップ４０９に進み、負荷４の平均消費電力が通常範囲の下限値より減少しているか否かが判断される。このように負荷４の平均消費電力が通常範囲の下限値より減少すると、余剰電力が増加し、直流蓄電装置２の充電電流が増加すると共に、直流母線５の電圧が上昇することになる。
【００２８】
ステップ４０９で、負荷４の平均消費電力が通常範囲の下限値より減少していると判断された場合には、充放電電流計測器７で計測している充電電流がその上限値を上回っているか否かが判断され（ステップ４１０）、続いて、電圧計測器１０で計測している直流母線５の電圧がその上限値を上回っているか否かが判断される（ステップ４１１）。
【００２９】
ステップ４１０、ステップ４１１において、直流蓄電装置２の充電電流又は直流母線５の電圧がそれぞれの上限値を上回っていた場合には、設定部１０４によって、その上限値を下回るように出力設定値を下げ（ステップ４１２）、ステップ４０２に戻る。
【００３０】
上記のような本ロジックによれば、図３に示す特性に従って、燃料電池の発電出力の低下に伴い発電効率は若干低下するが、直流蓄電装置２の充電電流又は直流母線５の電圧の上限値となる発電出力で発電を継続することができるので、電源装置の異常を引き起こすことなく、最高効率の発電運転を可能とすることができる。
【００３１】
（１−２−３）負荷４の平均消費電力が増加した場合の動作
次に、負荷４の平均消費電力が通常範囲の上限値より増加した場合の動作について説明する。なお、負荷４の平均消費電力が通常範囲の上限値より増加すると、直流蓄電装置２の残存容量が減少していくことになる。
【００３２】
すなわち、図５のステップ４０９において、負荷４の平均消費電力が通常範囲の上限値より増加していると判断された場合には、ステップ４１３に進み、充放電電流計測器７で計測している放電電流がその上限値を上回っているか否かが判断され（ステップ４１３）、続いて、電圧計測器１０で計測している直流母線５の電圧がその下限値を下回っているか否かが判断される（ステップ４１４）。
【００３３】
そして、ステップ４１３、ステップ４１４において、直流蓄電装置２の放電電流がその上限値を上回っていた場合には、その上限値を下回るように、また、直流母線５の電圧がその下限値を下回っていた場合には、その下限値を上回るように、設定部１０４によって、出力設定値を増加させ（ステップ４１５）、ステップ４０２に戻る。
【００３４】
上記のような本ロジックによれば、燃料電池の発電出力は増加の方向であることから、図３に示すように発電効率は上昇する方向となるため、電源装置の異常を引き起こすことなく、高効率な発電運転が可能となる。
【００３５】
（１−３）効果
以上述べたように、本実施形態によれば、通常の運用において、直流−直流変換器６へ出力される出力設定値を、所定の発電効率以上となる一定値とすることが可能になり、負荷４の変動によらず燃料電池１は常に高効率な発電運転が可能となる。さらに、負荷４の平均消費電力が低下または増加した場合にも、電源装置の異常を引き起こすことなく、最高の効率での発電運転が可能となる。また、通常時は一定電力で発電を行なうため、燃料電池発電装置の運転の信頼性が向上する。
【００３６】
（２）第２実施形態
（２−１）構成
本実施形態は上記第１実施形態の変形例であって、図６に示すように、直流蓄電装置２の出力部に、充放電電力計測器８を設置したものである。なお、本実施形態においては、前記充放電電力計測器８、電圧計測器１０、電流計測器９、電力計測器１１が監視対象とされ、これらの測定値が前記制御装置１００のデータ取得部１０１に入力されるように構成されている。その他の構成は上記第１実施形態と同様であるので、説明は省略する。
【００３７】
（２−２）作用
（２−２−１）通常時の動作
通常時の動作は、上記第１実施形態と同様であるので説明は省略する。
【００３８】
（２−２−２）負荷４の平均消費電力が減少した場合の動作
図７のステップ４０９で、負荷４の平均消費電力が通常範囲の下限値より減少していると判断された場合には、演算部１０２によって、充放電電力計測器８で計測している充電電力量の積算値が算出される（ステップ４２０）。続いて、この充電電力量の積算値が所定の上限値を上回っているか否かが判断される（ステップ４２１）。
【００３９】
ステップ４２１において、直流蓄電装置２の充電電力量の積算値が所定の電力量を超えて増加していると判断された場合には、直流蓄電装置２において余剰電力が発生していることを示していることから、設定部１０４において、出力設定値を前記充電電力量の積算値から算出される平均余剰電力を差し引いた値へ変更し（ステップ４２２）、ステップ４０２に戻る。
【００４０】
この結果、直流蓄電装置２の入力電圧および充電電流の上限値を逸脱することを防止することができる。さらに、図３に示す特性に従って、燃料電池の発電出力の低下に伴い発電効率は若干低下するが、余剰電力の増加による電源装置の異常を防止することができるので、信頼性の高い発電運転を継続することができる。
【００４１】
（２−２−３）負荷４の平均消費電力が増加した場合の動作
図７のステップ４０９で、負荷４の平均消費電力が通常範囲の上限値より増加していると判断された場合には、演算部１０２によって、充放電電力計測器８で計測している放電電力量の積算値が算出される（ステップ４２３）。続いて、この放電電力量の積算値が所定の上限値を上回っているか否かが判断される（ステップ４２４）。
【００４２】
ステップ４２４において、直流蓄電装置２の放電電力量の積算値が所定の電力量を超えて増加していると判断された場合は、直流蓄電装置２において不足電力が発生していることを示していることから、設定部１０４において、出力設定値を、前記放電電力の積算値から算出される不足電力分を加算した値へ変更し（ステップ４２５）、ステップ４０２に戻る。
【００４３】
この結果、直流蓄電装置６の入力電圧の下限値または放電電流の上限値を逸脱することを防止することができる。さらに、図３に示す特性に従って、燃料電池の発電出力の増加に伴い発電効率が向上するので、通常時の運転と同等またはそれ以上の高効率な運転が可能となる。
【００４４】
（２−３）効果
以上述べたように、本実施形態によれば、負荷４の減少状態が長時間継続した場合に生じる余剰電力を検知し、直流−直流変換器６へ出力される出力設定値を、充電電力の積算値から算出される余剰電力を差し引いた値へ変更することにより、直流蓄電装置の入力電圧および充電電流の上限値を逸脱することを防止できる。その結果、電源装置の異常とならない条件下における最高の効率で発電運転が可能となる。
【００４５】
一方、負荷４の増加状態が長時間継続した場合に生じる不足電力を検知し、直流−直流変換器６へ出力される出力設定値を、放電電力の積算値から算出される不足電力分を加算した値へ変更することにより、直流蓄電装置の入力電圧の下限値または放電電流の上限値を逸脱することを防止できる。その結果、通常時の運転と同等、またはそれ以上の高効率な運転が可能となる。
【００４６】
（３）第３実施形態
（３−１）構成
本実施形態は、上記第１実施形態の変形例であって、上記第１実施形態においては、負荷４の平均消費電力が通常範囲の下限値より減少した場合に、直流蓄電装置２の充電電流および直流母線５の電圧がそれぞれの上限値を下回るように出力設定値を低下させているが、本実施形態においては、さらに発電効率を考慮したものである。
【００４７】
すなわち、本実施形態においては、燃料電池が発電に使用する都市ガスやプロパンガスなどの原燃料ガスの消費量と、負荷４の消費電力を用いて演算部１０２で算出される発電効率が、所定の最低発電効率を下回る場合には、発電を停止するように構成されている。なお、本実施形態の燃料電池電源装置の構成は上記第１実施形態と同様であるので、説明は省略する。
【００４８】
（３−２）作用
通常時の動作及び負荷４の平均消費電力が通常範囲の上限値より増加した場合の動作は、上記第１実施形態と同様であるので説明は省略する。
【００４９】
次に、負荷４の平均消費電力が通常範囲の下限値より減少した場合の動作について説明する。すなわち、図８に示したように、第１実施形態と同様に、ステップ４１０において充放電電流計測器７で計測している充電電流がその上限値を上回った場合、または、ステップ４１１において電圧計測器１０で計測している直流母線５の電圧がその上限値を上回った場合には、直流蓄電装置２の充電電流および直流母線５の電圧がその上限値を下回るように、出力設定値を低下させる処理が行われる（ステップ４１２）。
【００５０】
本実施形態においては、この処理に続いて、燃料電池が発電に使用する都市ガスやプロパンガスなどの原燃料ガスの消費量と前記負荷の消費電力を用いて、演算部１０２で発電効率が算出される（ステップ４３０）。続いて、この発電効率が所定の最低発電効率より大きいか否かが判断され（ステップ４３１）、大きい場合には、図４のステップ４０２に戻る。一方、この発電効率が所定の最低発電効率より小さい場合には、効率の良い運転ができないので、発電を停止する（ステップ４３２）。
【００５１】
このようにして発電が停止された後も、直流蓄電装置２の蓄電電力量を監視し、判定部１０３により、この蓄電電力量が所定の電力量を下回ったか否かが判断される（ステップ４３３）。蓄電電力量が所定の電力量を下回ったと判断された場合には、発電を再開させる（ステップ４３４）。この場合、発電出力を所定の発電効率以上の一定値として、直流蓄電装置２へ充電を行なう。
【００５２】
なお、前記「最低発電効率」とは、省エネルギー性を考慮して算出される効率である。また、発電再開を決めるための「所定の電力量」とは、燃料電池の再起動に必要とされる電力量と負荷の消費電力量の合計電力から算出される電力量である。
【００５３】
（３−３）効果
以上述べたように、本実施形態によれば、負荷４の減少状態が長時間継続した場合には出力設定値を低下させるが、燃料電池が発電に使用する都市ガスやプロパンガスなどの原燃料ガスの消費量と前記負荷の消費電力から算出される発電効率が、所定の最低発電効率を下回る場合は発電を停止することにより、省エネ性の低下を防止することが可能となる。また、直流蓄電装置２の蓄電電力量が所定の電力量を下回った場合には発電を再開させ、発電出力を所定の発電効率以上の一定値で発電することにより、高効率の発電運転が可能となる。
【図面の簡単な説明】
【００５４】
【図１】本発明に係る燃料電池電源装置の第１実施形態の構成を示すブロック図。
【図２】制御装置の構成を示すブロック図。
【図３】燃料電池発電装置における発電出力と発電効率の関係を示す図。
【図４】第１実施形態の制御装置における処理の流れ（前半部）を示すフローチャート。
【図５】第１実施形態の制御装置における処理の流れ（後半部）を示すフローチャート。
【図６】本発明に係る燃料電池電源装置の第２実施形態の構成を示すブロック図。
【図７】第２実施形態の制御装置における処理の流れ（後半部）を示すフローチャート。
【図８】第３実施形態の制御装置における処理の流れ（後半部）を示すフローチャート。
【符号の説明】
【００５５】
１…燃料電池
２…直流蓄電装置
３…電力変換装置
４…独立負荷
５…直流母線
６…直流−直流変換器
７…充放電電流計測器
８…充放電電力計測器
９…電流計測器
１０…電圧計測器
１１…電力計測器
１２…補機電力供給装置
１３…補機
１００…制御装置
１０１…データ取得部
１０２…演算部
１０３…判定部
１０４…設定部
１０５…出力部
１０６…記憶部
【図１】
2010146922.tif 000003
【図２】
2010146922.tif 000004
【図３】
2010146922.tif 000005
【図４】
2010146922.tif 000006
【図５】
2010146922.tif 000007
【図６】
2010146922.tif 000008
【図７】
2010146922.tif 000009
【図８】
2010146922.tif 000010